(57)【特許請求の範囲】
【請求項１】
ＪＥＭ−Ａ信号を入出力するＪＥＭ−Ａ対応機器とＩＰ（Internet Protocol）信号を入出力するＪＥＭ−Ａ対応機器管理装置との間に設置されるものであり、
ＩＰ通信網と接続される接続部と、接続部と接続されＩＤ識別部と変換部とを有した通信器と、通信器と接続された制御部と、制御部と接続されたＪＥＭ−Ａ入出力回路と、ＪＥＭ−Ａ入出力回路と接続されたＪＥＭ−Ａ端子と、ＪＥＭ−Ａ対応機器とシリアル通信を行うシリアル通信手段とを備え、
接続部は、ＪＥＭ−Ａ対応機器管理装置と通信器との間でＩＰ信号を入出力するものであり、
ＪＥＭ−Ａ端子は、ＪＥＭ−Ａ入出力回路とＪＥＭ−Ａ対応機器との間でＪＥＭ−Ａ信号を入出力する端子であり、
変換部は、ＩＰ信号と制御部に適合する固有信号との信号変換を行うものであり、
ＪＥＭ−Ａ入出力回路は、固有信号とＪＥＭ−Ａ信号との信号変換を行うものであり、
ＩＤ識別部は、ＪＥＭ−Ａ対応機器管理装置のオンコマンドＩＰ信号、オフコマンドＩＰ信号、オンオフ状態のチェックコマンドＩＰ信号に含まれるＩＤがＪＥＭ−Ａ対応機器に付与された個別ＩＤと合致した場合に変換部にＩＰ信号を送ると共に、ＪＥＭ−Ａ対応機器のオン／オフ状態に応じた機器状態コマンドに個別ＩＤを付与するものであり、
制御部は、ＪＥＭ−Ａ入出力回路を介して受信したＪＥＭ−Ａ対応機器の信号からオン／オフ状態を検出する機器状態検出手段と、オンコマンドとオフコマンドとチェックコマンドを解析するコマンド解析手段と、ＪＥＭ−Ａ対応機器の制御信号をＪＥＭ−Ａ入出力回路を介してＪＥＭ−Ａ端子に出力する制御信号出力手段と、ＪＥＭ−Ａ対応機器のオン／オフ状態に応じた機器状態コマンドを通信器を介して接続部に出力する機器状態コマンド出力手段とを有し、制御信号出力手段は、コマンド解析手段がオンコマンドを検出し且つＪＥＭ−Ａ対応機器がオフ状態のとき、及びコマンド解析手段がオフコマンドを検出し且つＪＥＭ−Ａ対応機器がオン状態のときに制御信号を出力するものであり、機器状態コマンド出力手段は、コマンド解析手段がチェックコマンドを検出したときに機器状態コマンドを出力するものであり、
シリアル通信手段は、制御部をバイパスして通信器とＪＥＭ−Ａ対応機器との間でシリアル通信を行うものであり、ＪＥＭ−Ａ対応機器のオン／オフ状態が切り替わったときに機器状態コマンドを接続部に出力することを特徴とするＩＰ／ＪＥＭ−Ａ変換アダプタ。
【請求項２】
ＪＥＭ−Ａ対応機器に接続されＩＰ（Internet Protocol）信号を入出力するＩＰ／ＪＥＭ−Ａ変換アダプタとＪＥＭ−Ａ信号を入出力するＪＥＭ−Ａ対応機器管理装置との間に設置されるものであり、
ＩＰ通信網と接続される接続部と、接続部と接続され変換部を有した通信器と、通信器と接続された制御部と、通信器または制御部に設けたＩＤ識別部と、制御部と接続されたＪＥＭ−Ａ入出力回路と、ＪＥＭ−Ａ入出力回路と接続されたＪＥＭ−Ａ端子とを備え、
接続部は、ＩＰ／ＪＥＭ−Ａ変換アダプタと通信器との間でＩＰ信号を入出力するものであり、
ＪＥＭ−Ａ端子は、ＪＥＭ−Ａ入出力回路とＪＥＭ−Ａ対応機器管理装置との間でＪＥＭ−Ａ信号を入出力する端子であり、
変換部は、ＩＰ信号と制御部に適合する固有信号との信号変換を行うものであり、
ＪＥＭ−Ａ入出力回路は、固有信号とＪＥＭ−Ａ信号との信号変換を行うものであり、
ＩＤ識別部は、ＪＥＭ−Ａ対応機器のオン／オフ状態に応じてＩＰ／ＪＥＭ−Ａ変換アダプタが出力する機器状態コマンドＩＰ信号に含まれるＩＤがＪＥＭ−Ａ対応機器管理装置に付与された個別ＩＤと合致した場合に変換部または制御部にＩＰ信号を送ると共に、変換部を介して制御部から送られてきたＪＥＭ−Ａ対応機器に対するオンコマンド、オフコマンド、オンオフ状態のチェックコマンドに送信先のＪＥＭ−Ａ対応機器に対応した個別ＩＤを付与するものであり、
制御部は、一定時間ごとにチェックコマンドを通信器に出力すると共に、変換部を介して受信した機器状態コマンドからＪＥＭ−Ａ対応機器のオン／オフ状態を検出する機器状態検出手段と、検出したＪＥＭ−Ａ対応機器のオン／オフ状態に応じてモニタ信号をＪＥＭ−Ａ入出力回路を介してＪＥＭ−Ａ端子に出力するモニタ信号出力手段と、オンコマンドとオフコマンドを通信器を介して接続部に出力するオン／オフコマンド出力手段とを有し、
オン／オフコマンド出力手段は、ＪＥＭ−Ａ対応機器がオン状態でＪＥＭ−Ａ端子に制御信号が入力されたときにオフコマンドを出力し、ＪＥＭ−Ａ対応機器がオフ状態でＪＥＭ−Ａ端子に制御信号が入力されたときにオンコマンドを出力するものであることを特徴とするＪＥＭ−Ａ／ＩＰ変換アダプタ。
【請求項３】
ＪＥＭ−Ａ信号を入出力する複数のＪＥＭ−Ａ対応機器と、ＩＰ信号を入出力するＪＥＭ−Ａ対応機器管理装置と、ＪＥＭ−Ａ対応機器管理装置とＪＥＭ−Ａ対応機器との間に各々設置される複数の請求項１記載のＩＰ／ＪＥＭ−Ａ変換アダプタとを備え、
ＪＥＭ−Ａ対応機器管理装置は、ＪＥＭ−Ａ対応機器に対するオン／オフ操作を行うための操作部と、操作部の操作に応じて個別ＩＤにより特定のＩＰ／ＪＥＭ−Ａ変換アダプタを指定してオンコマンド及びオフコマンドをＩＰ信号で出力するオン／オフコマンド出力手段と、一定時間ごとに各ＩＰ／ＪＥＭ−Ａ変換アダプタに対してチェックコマンドを出力するチェックコマンド出力手段と、各ＩＰ／ＪＥＭ−Ａ変換アダプタからの機器状態コマンドに基づいて各ＪＥＭ−Ａ対応機器のオン／オフ状態を表示する表示手段とを有するものであり、
ＩＰ／ＪＥＭ−Ａ変換アダプタは、複数のＪＥＭ−Ａ対応機器にそれぞれ設けてあり、
ＪＥＭ−Ａ対応機器管理装置と複数のＩＰ／ＪＥＭ−Ａ変換アダプタとがＩＰ通信網で接続してあることを特徴とする機器の遠隔監視制御システム。
【請求項４】
ＪＥＭ−Ａ信号を入出力する複数のＪＥＭ−Ａ対応機器と、ＪＥＭ−Ａ信号を入出力するＪＥＭ−Ａ対応機器管理装置と、ＪＥＭ−Ａ対応機器管理装置に接続される請求項２記載のＪＥＭ−Ａ／ＩＰ変換アダプタと、ＪＥＭ−Ａ／ＩＰ変換アダプタとＪＥＭ−Ａ対応機器との間に各々設置される複数のＩＰ／ＪＥＭ−Ａ変換アダプタとを備え、
ＪＥＭ−Ａ対応機器管理装置は、ＪＥＭ−Ａ対応機器に対するオン／オフ操作を行うための操作部と、操作部の操作に応じてＪＥＭ−Ａ／ＩＰ変換アダプタに制御信号を出力する制御信号出力手段と、ＪＥＭ−Ａ／ＩＰ変換アダプタからのモニタ信号に基づいて各ＪＥＭ−Ａ対応機器のオン／オフ状態を表示する表示手段とを有するものであり、
ＪＥＭ−Ａ／ＩＰ変換アダプタは、ＪＥＭ−Ａ対応機器管理装置からの制御信号に応じて個別ＩＤにより特定のＩＰ／ＪＥＭ−Ａ変換アダプタを指定してオンコマンド及びオフコマンドを出力するものであり、
ＩＰ／ＪＥＭ−Ａ変換アダプタは、複数のＪＥＭ−Ａ対応機器にそれぞれ設けてあり、ＩＰ通信網と接続される接続部と、接続部と接続され変換部を有した通信器と、通信器と接続された制御部と、通信器または制御部に設けたＩＤ識別部と、制御部と接続されたＪＥＭ−Ａ入出力回路と、ＪＥＭ−Ａ入出力回路と接続されたＪＥＭ−Ａ端子とを備え、
接続部は、ＪＥＭ−Ａ／ＩＰ変換アダプタと通信器との間でＩＰ信号を入出力するものであり、
ＪＥＭ−Ａ端子は、ＪＥＭ−Ａ入出力回路とＪＥＭ−Ａ対応機器との間でＪＥＭ−Ａ信号を入出力する端子であり、
変換部は、ＩＰ信号と制御部に適合する固有信号との信号変換を行うものであり、
ＪＥＭ−Ａ入出力回路は、固有信号とＪＥＭ−Ａ信号との信号変換を行うものであり、
ＩＤ識別部は、ＪＥＭ−Ａ／ＩＰ変換アダプタのオンコマンドＩＰ信号、オフコマンドＩＰ信号、オンオフ状態のチェックコマンドＩＰ信号に含まれるＩＤがＪＥＭ−Ａ対応機器に付与された個別ＩＤと合致した場合に変換部または制御部にＩＰ信号を送ると共に、ＪＥＭ−Ａ対応機器のオン／オフ状態に応じた機器状態コマンドに個別ＩＤを付与するものであり、
制御部は、ＪＥＭ−Ａ入出力回路を介して受信したＪＥＭ−Ａ対応機器の信号からオン／オフ状態を検出する機器状態検出手段と、オンコマンドとオフコマンドとチェックコマンドを解析するコマンド解析手段と、ＪＥＭ−Ａ対応機器の制御信号をＪＥＭ−Ａ入出力回路を介してＪＥＭ−Ａ端子に出力する制御信号出力手段と、ＪＥＭ−Ａ対応機器のオン／オフ状態に応じた機器状態コマンドを通信器を介して接続部に出力する機器状態コマンド出力手段とを有し、制御信号出力手段は、コマンド解析手段がオンコマンドを検出し且つＪＥＭ−Ａ対応機器がオフ状態のとき、及びコマンド解析手段がオフコマンドを検出し且つＪＥＭ−Ａ対応機器がオン状態のときに制御信号を出力するものであり、機器状態コマンド出力手段は、コマンド解析手段がチェックコマンドを検出したときに機器状態コマンドを出力するものであり、
ＪＥＭ−Ａ／ＩＰ変換アダプタと複数のＩＰ／ＪＥＭ−Ａ変換アダプタとがＩＰ通信網で接続してあることを特徴とする機器の遠隔監視制御システム。
【請求項５】
ＩＰ／ＪＥＭ−Ａ変換アダプタの機器状態コマンド出力手段は、ＪＥＭ−Ａ対応機器からの信号が切り替わったときにも機器状態コマンドを出力することを特徴とする請求項４記載の機器の遠隔監視制御システム。
【請求項６】
ＩＰ／ＪＥＭ−Ａ変換アダプタは、ＪＥＭ−Ａ対応機器とシリアル通信を行うシリアル通信手段をさらに備え、シリアル通信手段は、制御部をバイパスして通信器とＪＥＭ−Ａ対応機器との間でシリアル通信を行うものであり、ＪＥＭ−Ａ対応機器のオン／オフ状態が切り替わったときに機器状態コマンドを接続部に出力することを特徴とする請求項４記載の機器の遠隔監視制御システム。
【発明の詳細な説明】
【技術分野】
【０００１】
本発明は、ＪＥＭ−Ａ対応機器及びＪＥＭ−Ａ対応機器管理装置をＬＡＮ等のＩＰ通信網で接続するためのＩＰ／ＪＥＭ−Ａ変換アダプタ、ＪＥＭ−Ａ／ＩＰ変換アダプタ、及びこれを用いた機器の遠隔監視制御システムに関する。
【背景技術】
【０００２】
エアコン等の家電機器や電気錠や電動開閉窓等の住宅設備機器の動作を遠隔監視・制御するための通信の規格として、ＪＥＭ−Ａ規格が定められている。ＪＥＭ−Ａ規格においては、機器のオン・オフ動作と動作状態の確認とを、図１６に示すような制御信号９０とモニタ信号９１の２種類の信号により行っている。制御信号９０は、機器の動作状態をオンからオフに、オフからオンへと反転させるために、ドアホン等のコントローラから機器に向けて送信されるもので、居住者がコントローラのボタンを操作したり携帯電話から指令を送信したりしたときに、所定のパルスがコントローラから機器に送信される。モニタ信号９１は、機器の動作状態を確認するために機器からコントローラに送信されるもので、制御信号が機器に入力されて機器の動作状態が反転すると、それに伴ってモニタ信号も反転し、コントローラの表示部にはモニタ信号に応じた機器のオン・オフ状態が表示される。なお、オン状態とは、機器が本来の機能を発揮している状態をいい、電気錠にあっては施錠状態、電動開閉窓や電動シャッター等の開閉するものにあっては閉状態をいう。
【０００３】
機器とコントローラには、規格化されたＪＥＭ−Ａ端子（ＨＡ端子ともいう）が設けてあり、互いのＪＥＭ−Ａ端子を専用配線で繋いでいる。当該配線は、制御信号用に２本とモニタ信号用に２本の計４本の信号線で構成される。住宅内の複数の機器を制御するためには、図１７に示すように、機器９２，９２，…ごとにコントローラ９３と専用の配線９４，９４，…で繋ぐ必要があり、この配線作業が非常に煩わしいものであった。
【０００４】
特許文献１の図３には、複数の負荷機器に端末装置をそれぞれ接続し、端末装置を外部のセンタ装置に通信回線（インターネット）で接続し、センタ装置から各負荷機器の運転状態の監視及び制御を行う集中制御システムが開示されている。端末装置は、図１８に示すように、センタ装置１００との間でデータ通信を行う通信部１０１と、負荷機器１０２に制御信号を出力すると共に負荷機器からのモニタ信号により負荷機器の運転状態を取得するＪＥＭ−Ａ入出力回路１０３と、マイコンにより構成した制御部１０４とを有している。制御部１０４には、端末装置を識別するＩＤやＪＥＭ−Ａ入出力回路１０３により取得した負荷機器１０２の運転状態を格納するメモリ１０５を有している。また制御部１０４には、センタ装置１００から伝送され通信部１０１により受信した負荷機器の運転状態の指示内容と、メモリ１０５に格納された負荷機器の運転状態とを比較する比較部１０６と、センタ装置１００から伝送されたデータに含まれるＩＤをメモリ１０５に格納したＩＤと照合するＩＤ識別部１０７と、センタ装置１００からデータを受信してからセンタ装置１００にデータを返すまでの時間を決めるタイマ１０８とを有している。
センタ装置１００から負荷機器１０２に運転状態を指示する際、センタ装置１００は指示しようとする運転状態のデータを個々の端末装置を識別するＩＤと共に送信する。これらのデータは通信部１０１から制御部１０４に入力され、制御部ではまずＩＤ識別部１０７により前記ＩＤをメモリ１０５に格納されたＩＤと照合する。ＩＤが一致する場合は、指示された運転状態のデータとメモリ１０５に格納された運転状態のデータとを比較部１０６で比較し、両者が相違するときだけＪＥＭ−Ａ入出力回路１０３により制御信号を負荷機器１０２に送信し、両者が一致するときには制御信号を送信することなくＪＥＭ−Ａ入出力回路１０３で取得した負荷機器１０２の運転状態をセンタ装置１００に伝送する。
この端末装置は、センタ装置１００から送られてくるデータが当該端末装置に向けて送信されたものか否か識別するＩＤ識別部１０７と、そのデータに基づいて負荷機器１０２に制御信号を送信するか否か決定する比較部１０６を、制御部１０４に一体的に構成してあるため、端末装置が故障したときに故障箇所が特定しにくい欠点がある。
またこの集中制御システムは、家人が家の中から負荷機器を遠隔操作する場合でも、センタ装置にインターネットで接続し、ウェブページや電子メールを介して指令を送信する必要があり、通信に無駄が多く、また誤操作のおそれも高い。
【特許文献１】特開２００６−３３７１８号公報
【発明の開示】
【発明が解決しようとする課題】
【０００５】
本発明は以上に述べた実情に鑑み、ＪＥＭ−Ａ対応機器への配線作業を容易化することを目的とする。さらに、請求項１に係る発明においては、故障が起きたときに故障箇所を容易に特定できるようにすることを目的とする。さらに、請求項３〜６に係る発明においては、複数のＪＥＭ−Ａ対応機器のオン・オフ動作及び状態確認を簡便に行えるようにすることを目的とする。
【課題を解決するための手段】
【０００６】
上記の課題を達成するために請求項１記載の発明によるＩＰ／ＪＥＭ−Ａ変換アダプタは、ＪＥＭ−Ａ信号を入出力するＪＥＭ−Ａ対応機器とＩＰ（Internet Protocol）信号を入出力するＪＥＭ−Ａ対応機器管理装置との間に設置されるものであり、ＩＰ通信網と接続される接続部と、接続部と接続されＩＤ識別部と変換部とを有した通信器と、通信器と接続された制御部と、制御部と接続されたＪＥＭ−Ａ入出力回路と、ＪＥＭ−Ａ入出力回路と接続されたＪＥＭ−Ａ端子と、ＪＥＭ−Ａ対応機器とシリアル通信を行うシリアル通信手段とを備え、接続部は、ＪＥＭ−Ａ対応機器管理装置と通信器との間でＩＰ信号を入出力するものであり、ＪＥＭ−Ａ端子は、ＪＥＭ−Ａ入出力回路とＪＥＭ−Ａ対応機器との間でＪＥＭ−Ａ信号を入出力する端子であり、変換部は、ＩＰ信号と制御部に適合する固有信号との信号変換を行うものであり、ＪＥＭ−Ａ入出力回路は、固有信号とＪＥＭ−Ａ信号との信号変換を行うものであり、ＩＤ識別部は、ＪＥＭ−Ａ対応機器管理装置のオンコマンドＩＰ信号、オフコマンドＩＰ信号、オンオフ状態のチェックコマンドＩＰ信号に含まれるＩＤがＪＥＭ−Ａ対応機器に付与された個別ＩＤと合致した場合に変換部にＩＰ信号を送ると共に、ＪＥＭ−Ａ対応機器のオン／オフ状態に応じた機器状態コマンドに個別ＩＤを付与するものであり、制御部は、ＪＥＭ−Ａ入出力回路を介して受信したＪＥＭ−Ａ対応機器の信号からオン／オフ状態を検出する機器状態検出手段と、オンコマンドとオフコマンドとチェックコマンドを解析するコマンド解析手段と、ＪＥＭ−Ａ対応機器の制御信号をＪＥＭ−Ａ入出力回路を介してＪＥＭ−Ａ端子に出力する制御信号出力手段と、ＪＥＭ−Ａ対応機器のオン／オフ状態に応じた機器状態コマンドを通信器を介して接続部に出力する機器状態コマンド出力手段とを有し、制御信号出力手段は、コマンド解析手段がオンコマンドを検出し且つＪＥＭ−Ａ対応機器がオフ状態のとき、及びコマンド解析手段がオフコマンドを検出し且つＪＥＭ−Ａ対応機器がオン状態のときに制御信号を出力するものであり、機器状態コマンド出力手段は、コマンド解析手段がチェックコマンドを検出したときに機器状態コマンドを出力するものであり、シリアル通信手段は、制御部をバイパスして通信器とＪＥＭ−Ａ対応機器との間でシリアル通信を行うものであり、ＪＥＭ−Ａ対応機器のオン／オフ状態が切り替わったときに機器状態コマンドを接続部に出力することを特徴とする。
【０００９】
請求項２記載の発明によるＪＥＭ−Ａ／ＩＰ変換アダプタは、ＪＥＭ−Ａ対応機器に接続されＩＰ（Internet Protocol）信号を入出力するＩＰ／ＪＥＭ−Ａ変換アダプタとＪＥＭ−Ａ信号を入出力するＪＥＭ−Ａ対応機器管理装置との間に設置されるものであり、ＩＰ通信網と接続される接続部と、接続部と接続され変換部を有した通信器と、通信器と接続された制御部と、通信器または制御部に設けたＩＤ識別部と、制御部と接続されたＪＥＭ−Ａ入出力回路と、ＪＥＭ−Ａ入出力回路と接続されたＪＥＭ−Ａ端子とを備え、接続部は、ＩＰ／ＪＥＭ−Ａ変換アダプタと通信器との間でＩＰ信号を入出力するものであり、ＪＥＭ−Ａ端子は、ＪＥＭ−Ａ入出力回路とＪＥＭ−Ａ対応機器管理装置との間でＪＥＭ−Ａ信号を入出力する端子であり、変換部は、ＩＰ信号と制御部に適合する固有信号との信号変換を行うものであり、ＪＥＭ−Ａ入出力回路は、固有信号とＪＥＭ−Ａ信号との信号変換を行うものであり、ＩＤ識別部は、ＪＥＭ−Ａ対応機器のオン／オフ状態に応じてＩＰ／ＪＥＭ−Ａ変換アダプタが出力する機器状態コマンドＩＰ信号に含まれるＩＤがＪＥＭ−Ａ対応機器管理装置に付与された個別ＩＤと合致した場合に変換部または制御部にＩＰ信号を送ると共に、変換部を介して制御部から送られてきたＪＥＭ−Ａ対応機器に対するオンコマンド、オフコマンド、オンオフ状態のチェックコマンドに送信先のＪＥＭ−Ａ対応機器に対応した個別ＩＤを付与するものであり、制御部は、一定時間ごとにチェックコマンドを通信器に出力すると共に、変換部を介して受信した機器状態コマンドからＪＥＭ−Ａ対応機器のオン／オフ状態を検出する機器状態検出手段と、検出したＪＥＭ−Ａ対応機器のオン／オフ状態に応じてモニタ信号をＪＥＭ−Ａ入出力回路を介してＪＥＭ−Ａ端子に出力するモニタ信号出力手段と、オンコマンドとオフコマンドを通信器を介して接続部に出力するオン／オフコマンド出力手段とを有し、オン／オフコマンド出力手段は、ＪＥＭ−Ａ対応機器がオン状態でＪＥＭ−Ａ端子に制御信号が入力されたときにオフコマンドを出力し、ＪＥＭ−Ａ対応機器がオフ状態でＪＥＭ−Ａ端子に制御信号が入力されたときにオンコマンドを出力するものであることを特徴とする。
【００１０】
請求項３記載の発明による機器の遠隔監視制御システムは、ＪＥＭ−Ａ信号を入出力する複数のＪＥＭ−Ａ対応機器と、ＩＰ信号を入出力するＪＥＭ−Ａ対応機器管理装置と、ＪＥＭ−Ａ対応機器管理装置とＪＥＭ−Ａ対応機器との間に各々設置される複数の請求項１記載のＩＰ／ＪＥＭ−Ａ変換アダプタとを備え、ＪＥＭ−Ａ対応機器管理装置は、ＪＥＭ−Ａ対応機器に対するオン／オフ操作を行うための操作部と、操作部の操作に応じて個別ＩＤにより特定のＩＰ／ＪＥＭ−Ａ変換アダプタを指定してオンコマンド及びオフコマンドをＩＰ信号で出力するオン／オフコマンド出力手段と、一定時間ごとに各ＩＰ／ＪＥＭ−Ａ変換アダプタに対してチェックコマンドを出力するチェックコマンド出力手段と、各ＩＰ／ＪＥＭ−Ａ変換アダプタからの機器状態コマンドに基づいて各ＪＥＭ−Ａ対応機器のオン／オフ状態を表示する表示手段とを有するものであり、ＩＰ／ＪＥＭ−Ａ変換アダプタは、複数のＪＥＭ−Ａ対応機器にそれぞれ設けてあり、ＪＥＭ−Ａ対応機器管理装置と複数のＩＰ／ＪＥＭ−Ａ変換アダプタとがＩＰ通信網で接続してあることを特徴とする。
【００１１】
請求項４記載の発明による機器の遠隔監視制御システムは、ＪＥＭ−Ａ信号を入出力する複数のＪＥＭ−Ａ対応機器と、ＪＥＭ−Ａ信号を入出力するＪＥＭ−Ａ対応機器管理装置と、ＪＥＭ−Ａ対応機器管理装置に接続される請求項２記載のＪＥＭ−Ａ／ＩＰ変換アダプタと、ＪＥＭ−Ａ／ＩＰ変換アダプタとＪＥＭ−Ａ対応機器との間に各々設置される複数のＩＰ／ＪＥＭ−Ａ変換アダプタとを備え、ＪＥＭ−Ａ対応機器管理装置は、ＪＥＭ−Ａ対応機器に対するオン／オフ操作を行うための操作部と、操作部の操作に応じてＪＥＭ−Ａ／ＩＰ変換アダプタに制御信号を出力する制御信号出力手段と、ＪＥＭ−Ａ／ＩＰ変換アダプタからのモニタ信号に基づいて各ＪＥＭ−Ａ対応機器のオン／オフ状態を表示する表示手段とを有するものであり、ＪＥＭ−Ａ／ＩＰ変換アダプタは、ＪＥＭ−Ａ対応機器管理装置からの制御信号に応じて個別ＩＤにより特定のＩＰ／ＪＥＭ−Ａ変換アダプタを指定してオンコマンド及びオフコマンドを出力するものであり、ＩＰ／ＪＥＭ−Ａ変換アダプタは、複数のＪＥＭ−Ａ対応機器にそれぞれ設けてあり、ＩＰ通信網と接続される接続部と、接続部と接続され変換部を有した通信器と、通信器と接続された制御部と、通信器または制御部に設けたＩＤ識別部と、制御部と接続されたＪＥＭ−Ａ入出力回路と、ＪＥＭ−Ａ入出力回路と接続されたＪＥＭ−Ａ端子とを備え、接続部は、ＪＥＭ−Ａ／ＩＰ変換アダプタと通信器との間でＩＰ信号を入出力するものであり、ＪＥＭ−Ａ端子は、ＪＥＭ−Ａ入出力回路とＪＥＭ−Ａ対応機器との間でＪＥＭ−Ａ信号を入出力する端子であり、変換部は、ＩＰ信号と制御部に適合する固有信号との信号変換を行うものであり、ＪＥＭ−Ａ入出力回路は、固有信号とＪＥＭ−Ａ信号との信号変換を行うものであり、ＩＤ識別部は、ＪＥＭ−Ａ／ＩＰ変換アダプタのオンコマンドＩＰ信号、オフコマンドＩＰ信号、オンオフ状態のチェックコマンドＩＰ信号に含まれるＩＤがＪＥＭ−Ａ対応機器に付与された個別ＩＤと合致した場合に変換部または制御部にＩＰ信号を送ると共に、ＪＥＭ−Ａ対応機器のオン／オフ状態に応じた機器状態コマンドに個別ＩＤを付与するものであり、制御部は、ＪＥＭ−Ａ入出力回路を介して受信したＪＥＭ−Ａ対応機器の信号からオン／オフ状態を検出する機器状態検出手段と、オンコマンドとオフコマンドとチェックコマンドを解析するコマンド解析手段と、ＪＥＭ−Ａ対応機器の制御信号をＪＥＭ−Ａ入出力回路を介してＪＥＭ−Ａ端子に出力する制御信号出力手段と、ＪＥＭ−Ａ対応機器のオン／オフ状態に応じた機器状態コマンドを通信器を介して接続部に出力する機器状態コマンド出力手段とを有し、制御信号出力手段は、コマンド解析手段がオンコマンドを検出し且つＪＥＭ−Ａ対応機器がオフ状態のとき、及びコマンド解析手段がオフコマンドを検出し且つＪＥＭ−Ａ対応機器がオン状態のときに制御信号を出力するものであり、機器状態コマンド出力手段は、コマンド解析手段がチェックコマンドを検出したときに機器状態コマンドを出力するものであり、ＪＥＭ−Ａ／ＩＰ変換アダプタと複数のＩＰ／ＪＥＭ−Ａ変換アダプタとがＩＰ通信網で接続してあることを特徴とする。
【００１２】
請求項５記載の発明による機器の遠隔監視制御システムは、請求項４記載の発明の構成に加え、ＩＰ／ＪＥＭ−Ａ変換アダプタの機器状態コマンド出力手段は、ＪＥＭ−Ａ対応機器からの信号が切り替わったときにも機器状態コマンドを出力することを特徴とする。
【００１３】
請求項６記載の発明による機器の遠隔監視制御システムは、請求項４記載の発明の構成に加え、ＩＰ／ＪＥＭ−Ａ変換アダプタは、ＪＥＭ−Ａ対応機器とシリアル通信を行うシリアル通信手段をさらに備え、シリアル通信手段は、制御部をバイパスして通信器とＪＥＭ−Ａ対応機器との間でシリアル通信を行うものであり、ＪＥＭ−Ａ対応機器のオン／オフ状態が切り替わったときに機器状態コマンドを接続部に出力することを特徴とする。
【発明の効果】
【００１４】
請求項１記載の発明によるＩＰ／ＪＥＭ−Ａ変換アダプタは、ＩＰ通信網と接続される接続部とＪＥＭ−Ａ端子を備えているので、本アダプタを用いることで、ＪＥＭ−Ａ対応機器をＪＥＭ−Ａ対応機器管理装置とＬＡＮ等のＩＰ通信網で接続できるようになり、機器ごとにＪＥＭ−Ａ対応機器管理装置まで個々に配線する必要がないため、配線作業を容易化できる。また、簡潔な構成によりＩＰ信号とＪＥＭ−Ａの制御信号・モニタ信号を相互に変換し、ＪＥＭ−Ａ対応機器のオン・オフ動作及び状態確認を安定して行うことができる。さらに、接続部に入出力されるＩＰ信号に対するＩＤ処理を行うＩＤ識別部を通信器に設け、ＩＤ識別部を制御部と分離したので、ＩＰ／ＪＥＭ−Ａ変換アダプタが故障したときに故障箇所を容易に特定できる。また、通信器を交換するだけで様々な通信プロトコルに対応できる。
さらに本発明によるＩＰ／ＪＥＭ−Ａ変換アダプタは、シリアル通信手段により通信器とＪＥＭ−Ａ対応機器との間でシリアル通信を行い、ＪＥＭ−Ａ対応機器のオン／オフ状態が切り替わったときに機器状態コマンドを接続部に出力するので、チェックコマンドの時間間隔を長くしてＩＰ通信網上のデータの量を減らせると共に、制御部をバイパスすることでより高速な通信が行える。
【００１７】
請求項２記載の発明によるＪＥＭ−Ａ／ＩＰ変換アダプタは、ＪＥＭ−Ａ端子とＩＰ通信網と接続される接続部を備えており、ＪＥＭ−Ａ端子をＪＥＭ−Ａ対応機器管理装置に繋ぎ、接続部とＪＥＭ−Ａ対応機器とをＬＡＮ等のＩＰ通信網で接続でき、機器ごとにＪＥＭ−Ａ対応機器管理装置まで個々に配線する必要がないため、配線作業を容易化できる。また、簡潔な構成によりＩＰ信号とＪＥＭ−Ａの制御信号・モニタ信号を相互に変換し、ＪＥＭ−Ａ対応機器管理装置から機器のオン・オフ動作及び状態確認を安定して行うことができる。さらに、接続部に入出力されるＩＰ信号に対するＩＤ処理を行うＩＤ識別部を制御部又は通信器に有しているので、複数のＪＥＭ−Ａ対応機器をＩＤにより識別して制御できる。
【００１８】
請求項３記載の発明による機器の遠隔監視制御システムによれば、パソコン等のＪＥＭ−Ａ対応機器管理装置を利用して複数のＪＥＭ−Ａ対応機器のオン・オフ動作及び状態確認を簡便に行うことができる。ＪＥＭ−Ａ対応機器管理装置と複数のＩＰ／ＪＥＭ−Ａ変換アダプタとをＬＡＮ等のＩＰ通信網で接続できるので、配線作業を容易化できる。さらに、ＩＰ／ＪＥＭ−Ａ変換アダプタはＩＤ識別部を通信器に設けたことで、ＩＰ／ＪＥＭ−Ａ変換アダプタが故障したときに故障箇所を容易に特定できると共に、通信器を交換するだけで様々な通信プロトコルに対応できる。
【００１９】
請求項４記載の発明による機器の遠隔監視制御システムは、ドアホン等の既存のＪＥＭ−Ａ対応機器管理装置をそのまま利用することができ、当該ＪＥＭ−Ａ対応機器管理装置を用いて複数のＪＥＭ−Ａ対応機器のオン・オフ動作及び状態確認を簡便に行うことができる。尚且つＪＥＭ−Ａ／ＩＰ変換アダプタと複数のＩＰ／ＪＥＭ−Ａ変換アダプタとをＬＡＮ等のＩＰ通信網で接続できるので、配線作業を容易化できる。
【００２０】
請求項５記載の発明による機器の遠隔監視制御システムは、ＩＰ／ＪＥＭ−Ａ変換アダプタの機器状態コマンド出力手段が、ＪＥＭ−Ａ対応機器からの信号が切り替わったときにも機器状態コマンドを出力するため、チェックコマンドの時間間隔を長くしてＩＰ通信網上のデータの量を減らすことができる。
【００２１】
請求項６記載の発明による機器の遠隔監視制御システムは、ＩＰ／ＪＥＭ−Ａ変換アダプタのシリアル通信手段により通信器とＪＥＭ−Ａ対応機器との間でシリアル通信を行い、ＪＥＭ−Ａ対応機器のオン／オフ状態が切り替わったときに機器状態コマンドを接続部に出力するので、チェックコマンドの時間間隔を長くしてＩＰ通信網上のデータの量を減らせると共に、制御部をバイパスすることでより高速な通信が行える。
【発明を実施するための最良の形態】
【００２２】
以下、本発明の実施の形態を図面に基づいて説明する。図２は、本発明の機器の遠隔監視制御システムの第１実施形態を示している。本システムは、住宅内に設けられた複数の電動建材１ａ，１ｂ，１ｃ，…の開閉状態の確認と開閉操作を、住宅内の一室に置かれたパソコン２から集中的に行うものであり、電動建材１ａ，１ｂ，１ｃ，…は操作ボックスにＪＥＭ−Ａ端子を備えており、各電動建材１の操作ボックスにＩＰ／ＪＥＭ−Ａ変換アダプタ３ａ，３ｂ，３ｃ，…がＪＥＭ−Ａ端子に接続してそれぞれ設けてある。パソコン２と各ＩＰ／ＪＥＭ−Ａ変換アダプタ３ａ，３ｂ，３ｃ，…とは、ＬＡＮケーブル４で接続されている。
【００２３】
ＩＰ／ＪＥＭ−Ａ変換アダプタ３ａ，３ｂ，３ｃ，…は、図１に示すように、ＬＡＮケーブル４を接続するためのＬＡＮ端子５と、ＬＡＮ端子５と接続された通信器６と、通信器６と接続されたマイコン７と、マイコン７と接続されたＪＥＭ−Ａ入出力回路８と、ＪＥＭ−Ａ入出力回路８と接続されたＪＥＭ−Ａ端子９とを備えている。
ＬＡＮ端子５には、パソコン２からオン（閉）コマンド、オフ（開）コマンド、チェックコマンドがＩＰ（Internet Protocol）信号で入力される。各コマンドには、送信元であるパソコン２のＩＤと、送信先であるＩＰ／ＪＥＭ−Ａ変換アダプタ３ａ，３ｂ，３ｃ，…のＩＤとが含まれる。複数のＩＰ／ＪＥＭ−Ａ変換アダプタ３ａ，３ｂ，３ｃ，…には、それぞれ個別のＩＤが割り当てられている。各ＩＤは、ＩＰアドレスよりなる。
通信器６には、ＩＤ識別部１０とＬＡＮ−シリアル変換器１１とを有している。ＩＤ識別部１０は、前記の個別のＩＤを記憶するメモリと、データの処理部とを有しており、ＬＡＮ端子５に前記コマンドが入力されると、コマンドに含まれる送信先のＩＤとメモリに記憶した個別ＩＤとを照合し、それらが一致する場合のみＩＰ信号をＬＡＮ−シリアル変換器１１に送る。またＩＤ識別部１０は、パソコン２に電動建材１ａ，１ｂ，１ｃ，…の開閉状態を認識させるために、マイコン７からＬＡＮ端子５へと出力される機器状態コマンドに対して、送信元であるＩＰ／ＪＥＭ−Ａ変換アダプタ３ａ，３ｂ，３ｃ，…の個別ＩＤと送信先であるパソコンのＩＤを付加する処理も行う。ＬＡＮ−シリアル変換器１１は、ＩＤ識別部１０より送られてくるＩＰ信号をマイコン７に適合するシリアル信号（ＲＳ−２３２Ｃ）に変換してマイコン７に出力すると共に、マイコン７より送られてくるシリアル信号をＩＰ信号に変換してＩＤ識別部１０に送る。
マイコン７は、データを記憶するメモリ１２と、データを処理するＣＰＵ１３とを有している。メモリに１２は、ＩＰ／ＪＥＭ−Ａ変換アダプタ３ａ，３ｂ，３ｃ，…の動作プログラムが記憶されており、当該プログラムとＣＰＵ１３により、機器状態検出手段１４と、コマンド解析手段１５と、制御信号出力手段１６と、機器状態コマンド出力手段１７とが構成されている。機器状態検出手段１４は、ＪＥＭ−Ａ端子９からＪＥＭ−Ａ入出力回路８を介して入力されるモニタ信号に基づいて、電動建材１ａ，１ｂ，１ｃ，…が開（オフ）状態と閉（オン）状態の何れの状態であるか検出し、検出した開・閉状態をメモリ１２に保持する。コマンド解析手段１５は、ＬＡＮ端子５から入力されるオン（閉）コマンド、オフ（開）コマンド及びチェックコマンドを解析する。制御信号出力手段１６は、コマンド解析手段１５がオン（閉）コマンド又はオフ（開）コマンドを検出し、且つ機器状態検出手段１４により取得した機器の開閉状態がその指令と異なる場合、すなわちオン（閉）コマンドが入力され機器状態がオフ（開）状態のとき、及びオフ（開）コマンドが入力され機器状態がオン（閉）のときに、ＪＥＭ−Ａ入出力回路８に制御信号を出すための指令を出力する。機器状態コマンド出力手段１７は、コマンド解析手段１５がチェックコマンドを検出したときに、機器状態検出手段１４により検出した電動建材１ａ，１ｂ，１ｃ，…の開・閉状態に応じた機器状態コマンドを通信器に出力する。
ＪＥＭ−Ａ入出力回路８は、マイコン７からの指令によりＪＥＭ−Ａ制御信号を生成してＪＥＭ−Ａ端子９に出力すると共に、ＪＥＭ−Ａ端子９に入力されるＪＥＭ−Ａモニタ信号をマイコン７に送信する。
ＪＥＭ−Ａ端子９は、電動建材１ａ，１ｂ，１ｃ，…の操作ボックスに設けられたＪＥＭ−Ａ端子と接続され、ＪＥＭ−Ａ制御信号が電動建材１ａ，１ｂ，１ｃ，…に出力されると共に、電動建材１ａ，１ｂ，１ｃ，…からＪＥＭ−Ａモニタ信号が入力される。
なお、図１中に各要素を繋ぐ実線の上に記載した文字は、当該部分を流れる信号のプロトコルを表している。
【００２４】
次に、このＩＰ／ＪＥＭ−Ａ変換アダプタ３ａ，３ｂ，３ｃ，…の動作を、図３のフローチャートに基づいて説明する。ＬＡＮ端子５にパソコン２からコマンドが入力されると（Ｓ１）、通信器６のＩＤ識別部１０において当該コマンドに含まれる送信先のＩＤがメモリに記憶した個別ＩＤと一致するか否か照合する（Ｓ２）。ＩＤが一致すると、ＬＡＮ−シリアル変換器１１によりコマンドがＲＳ−２３２Ｃに変換されてマイコン７に入力される（Ｓ３）。次に、マイコンのコマンド解析手段１５が、入力されたコマンドがオン（閉）コマンド、オフ（開）コマンド、チェックコマンドの何れであるか解析する（Ｓ４）。オン（閉）コマンドが検出されると、機器状態検出手段１４により検出した開閉状態と比較し（Ｓ５）、機器状態がオフ（開）状態のときはＪＥＭ−Ａ端子９に制御信号を出力し（Ｓ６）、機器状態がオン（閉）状態のときには制御信号を出力しない。
オフ（開）コマンドが検出されると、機器状態検出手段１４により検出した開閉状態と比較し（Ｓ７）、機器状態がオン（閉）状態のときはＪＥＭ−Ａ端子９に制御信号を出力し（Ｓ８）、機器状態がオフ（開）状態のときには制御信号を出力しない。
チェックコマンドを検出したときには、マイコン７は機器状態検出手段１４により検出した開閉状態に応じた機器状態コマンドを通信器６にＲＳ−２３２Ｃで出力し（Ｓ９）、通信器のＬＡＮ−シリアル変換器１１により機器状態コマンドをＩＰ信号に変換し（Ｓ１０）、ＩＤ識別部１０が送信元であるＩＰ／ＪＥＭ−Ａ変換アダプタ３ａ，３ｂ，３ｃ，…の個別ＩＤと送信先であるパソコン２の個別ＩＤとを付加し（Ｓ１１）、ＬＡＮ端子５から機器状態コマンドを送出する（Ｓ１２）。
【００２５】
パソコン２には、本システムを動作するためのプログラムがインストールされている。当該プログラムはＨＴＭＬ形式で作成されており、ブラウザにより動作する。プログラムを起動すると、パソコンのモニタ画面には、図４（ａ）に示すような、全体モニタ画像１８が表示される。この画像１８には、本システムが実際に使用される物件に応じた１・２階の間取り図１９ａ，１９ｂが含まれ、間取り図１９ａ，１９ｂの対応位置に電動建材１ａ，１ｂ，１ｃ，…の絵２０ａ，２０ｂ，２０ｃ，…が表示され、その傍にその電動建材１ａ，１ｂ，１ｃ，…の開閉状態を示す状態表示アイコン２１ａ，２１ｂ，２１ｃ，…が表示される。状態表示アイコン２１ａ，２１ｂ，２１ｃ，…には、図６に示すように、電動建材１ａ，１ｂ，１ｃ，…の種別が文字２２で表示され、電動建材の開閉状態を絵２３と背景２４の色の違いによって表している。
状態表示アイコン２１ａ，２１ｂ，２１ｃ，…を、マウスやタッチパッドを操作することによりポインタでクリックすると、図４（ｂ）に示すように、選択した電動建材１ａ，１ｂ，１ｃ，…の操作画面２５が別ウインドウで開くようになっている。操作画面２５には、図５に示すように、選択した電動建材１ｃの状態表示アイコン２１ｃと、開操作ボタン２６、閉操作ボタン２７、動作モニタ画面２８、操作画面を隠すボタン２９とが含まれている。この開操作ボタン２６、閉操作ボタン２７をクリックすることにより、電動建材１ｃの開閉操作を行える。
【００２６】
次に、本システム全体の動作を図７−１，７−２に基づいて説明する。図７−１は、本システムの動作のうち「開閉状態確認モード」を示している。パソコン２は、一定時間（例えば１秒）ごとにチェックコマンドを各ＩＰ／ＪＥＭ−Ａ変換アダプタ３ａ，３ｂ，３ｃ，…に送信する（Ｓ２０）。電動建材１ｃは、オン（閉）状態の場合、それに応じたＪＥＭ−Ａモニタ信号オン（閉）をＩＰ／ＪＥＭ−Ａ変換アダプタ３ｃに送信している（Ｓ２１）。ＩＰ／ＪＥＭ−Ａ変換アダプタ３ｃは、機器状態コマンドオン（閉）をパソコン２に送信する（Ｓ２２）。パソコン２は、当該電動建材１ｃに対応した状態表示アイコン２１ｃを、「開」から「閉」に変化させる（Ｓ２３）。その後、後述する「操作モード」により電動建材１ｃが開操作されたとする。その後にパソコン２からＩＰ／ＪＥＭ−Ａ変換アダプタ３ｃにチェックコマンドが送信されると（Ｓ２４）、そのときには電動建材１ｃからＩＰ／ＪＥＭ−Ａ変換アダプタ３ｃにＪＥＭ−Ａモニタ信号オフ（開）を送信しているので（Ｓ２５）、ＩＰ／ＪＥＭ−Ａ変換アダプタ３ｃは、機器状態コマンドオフ（開）をパソコン２に送信する（Ｓ２６）。パソコン２は、当該電動建材１ｃに対応した状態表示アイコン２１ｃを、「閉」から「開」に変化させる（Ｓ２７）。以上の動作により、パソコンのモニタ画面上の各状態表示アイコン２１ａ，２１ｂ，２１ｃ，…が、対応する電動建材１ａ，１ｂ，１ｃ，…の最新の開閉状態に応じた状態に随時更新される。なお、パソコンがチェックコマンドを送信する時間の間隔は、制御するＩＰ／ＪＥＭ−Ａ変換アダプタの数等に応じて適宜変更することができる。
【００２７】
図７−２は、本システムの動作のうち「操作モード」を示している。先に説明した操作画面２５の開操作ボタン２６をマウスでクリックすると、パソコン２から当該操作画面の電動建材１ｃに対応したＩＰ／ＪＥＭ−Ａ変換アダプタ３ｃの個別ＩＤを付加したオフ（開）コマンドが送信される（Ｓ３０）。このとき、電動建材１ｃはオン（閉）状態となっており、電動建材１ｃからＩＰ／ＪＥＭ−Ａ変換アダプタ３ｃにＪＥＭ−Ａモニタ信号オン（閉）が送信されている（Ｓ３１）。ＩＰ／ＪＥＭ−Ａ変換アダプタ３ｃは、パソコン２からの指令と電動建材１ｃからのモニタ信号とが異なる状態のため、電動建材１ｃに向けてＪＥＭ−Ａ制御信号を送信する（Ｓ３２）。電動建材１ｃは、この制御信号を受けて開動作した後、ＪＥＭ−Ａモニタ信号オフ（開）をＩＰ／ＪＥＭ−Ａ変換アダプタ３ｃに送信する（Ｓ３３）。電動建材１ｃがオフ（開）状態のときにパソコン２からＩＰ／ＪＥＭ−Ａ変換アダプタ３ｃにオフ（開）コマンドが入力されると（Ｓ３４）、ＩＰ／ＪＥＭ−Ａ変換アダプタ３ｃには電動建材１ｃからＪＥＭ−Ａモニタ信号オフ（開）が送信されており（Ｓ３５）、パソコン２からの指令と電動建材１ｃからのモニタ信号が同じ状態のため、制御信号は出力されない。
電動建材１ｃを閉操作する場合には、操作画面２５の閉操作ボタン２７をマウスでクリックすることで、パソコン２から当該操作画面の電動建材１ｃに対応したＩＰ／ＪＥＭ−Ａ変換アダプタ３ｃの個別ＩＤを付加したオン（閉）コマンドが送信される（Ｓ３６）。このとき、電動建材１ｃはオフ（開）状態となっており、電動建材１ｃからＩＰ／ＪＥＭ−Ａ変換アダプタ３ｃにＪＥＭ−Ａモニタ信号オフ（開）が送信されている（Ｓ３７）。ＩＰ／ＪＥＭ−Ａ変換アダプタ３ｃは、パソコン２からの指令と電動建材１ｃからのモニタ信号とが異なる状態のため、電動建材１ｃに向けてＪＥＭ−Ａ制御信号を送信する（Ｓ３８）。電動建材１ｃは、この制御信号を受けて閉動作した後、ＪＥＭ−Ａモニタ信号オン（閉）をＩＰ／ＪＥＭ−Ａ変換アダプタ３ｃに送信する（Ｓ３９）。電動建材１ｃがオン（閉）状態のときにパソコン２からＩＰ／ＪＥＭ−Ａ変換アダプタ３ｃにオン（閉）コマンドが入力されると（Ｓ４０）、ＩＰ／ＪＥＭ−Ａ変換アダプタ３ｃには電動建材１ｃからＪＥＭ−Ａモニタ信号オン（閉）が送信されており（Ｓ４１）、パソコン２からの指令と電動建材１ｃからのモニタ信号が同じ状態のため、制御信号は出力されない。
【００２８】
以上に述べたように本システムは、各電動建材１ａ，１ｂ，１ｃ，…にＬＡＮ端子５とＪＥＭ−Ａ端子９を有するＩＰ／ＪＥＭ−Ａ変換アダプタ３ａ，３ｂ，３ｃ，…を接続し、パソコン２とＩＰ／ＪＥＭ−Ａ変換アダプタ３ａ，３ｂ，３ｃ，…とをＬＡＮケーブル４で接続して構成したので、従来のようにＪＥＭ−Ａ信号線をコントローラから各電動建材１ａ，１ｂ，１ｃ，…まで個々に配線する必要がなく、配線作業を容易化することができる。ＩＰ／ＪＥＭ−Ａ変換アダプタ３ａ，３ｂ，３ｃ，…は、簡潔な構成によりＩＰ信号とＪＥＭ−Ａの制御信号・モニタ信号を相互に変換し、電動建材１ａ，１ｂ，１ｃ，…の開閉動作及び状態確認を安定して行うことができる。さらに、各電動建材１ａ，１ｂ，１ｃ，…を識別させるためのＩＤの処理を行うＩＤ識別部１０を通信器６に設け、制御部７から分離したので、ＩＰ／ＪＥＭ−Ａ変換アダプタ３ａ，３ｂ，３ｃ，…が故障したときに故障箇所を容易に特定できる。
故障箇所の特定は、通信状態でＩＰ／ＪＥＭ−Ａ変換アダプタ３ａ，３ｂ，３ｃ，…の各部に信号がパスしたか否かで特定でき、より具体的にはパソコン２からＩＰ／ＪＥＭ−Ａ変換アダプタ３ａ，３ｂ，３ｃ，…のＩＤ識別部１０、ＬＡＮ−シリアル変換器１１、マイコン７、ＪＥＭ−Ａ入出回路８に向けて検査コマンドをそれぞれ送信し、各部から検査コマンドに対する応答信号が返ってくるか否かで特定できる。例えば、ＩＤ識別部１０からは応答信号が返ってくるのにＬＡＮ−シリアル変換器１１からは応答信号が返ってこないとすればＬＡＮ−シリアル変換器１１が故障していることになり、ＬＡＮ−シリアル変換器１１からは応答信号が返ってくるのにマイコン７から応答信号が返ってこないとすればマイコン７が故障していることになる。故障箇所を特定するための検査コマンドは、何らかの異常が生じた時にその都度パソコンから出力してもよいし、定期的に検査コマンドを出力するように予めパソコンのプログラムに入れておくこともできる。また、何らかの原因で異常が起きた場合に、パソコンのモニタ画面上で異常を知らせる通知機能を持たせることもできる。ＩＤ識別部１０を通信器６に設けることは、上述のように故障箇所の特定が容易になることに加え、通信器６を交換するだけで様々な通信プロトコルに対応できる利点もある。
また本システムは、図４（ａ）に示すように、パソコン２のモニタ画面に住宅の間取り図１９ａ，１９ｂが表示されると共に、間取り図１９ａ，１９ｂ中の対応箇所に電動建材１ａ，１ｂ，１ｃ，…の開閉状態を示す状態表示アイコン２１ａ，２１ｂ，２１ｃ，…が表示されるようにしたので、電動建材１ａ，１ｂ，１ｃ，…の開閉状態を一目で容易に確認することができ、さらに図４（ｂ）と図５に示す操作画面２５を開き、状態表示アイコン２１ａ，２１ｂ，２１ｃ，…を見ながら開操作ボタン２６、閉操作ボタン２７をマウスでクリックして電動建材１ａ，１ｂ，１ｃ，…の開閉操作を行うようにしたので、誰にでも容易に本システムを使用することができ、操作ミスを防止できる。
【００２９】
ＩＰ／ＪＥＭ−Ａ変換アダプタ３ａ，３ｂ，３ｃ，…は、パソコン２からのチェックコマンドを検出したときに加え、電動建材１ａ，１ｂ，１ｃ，…からのモニタ信号に変化があったときにも機器状態コマンドを出力するものとすることができる。この処理は、ＩＰ／ＪＥＭ−Ａ変換アダプタ３ａ，３ｂ，３ｃ，…のマイコン７により行うことができる。マイコン７は、先に述べたように機器状態検出手段１４が電動建材からのモニタ信号に基づいて電動建材１ａ，１ｂ，１ｃ，…が開（オフ）状態と閉（オン）状態の何れの状態であるか検出し、検出した開・閉状態をメモリ１２に保持するが、開状態から閉状態に、閉状態から開状態に更新されるときは、機器状態コマンド出力手段１４により更新された開・閉状態に応じた機器状態コマンドを通信器６に出力させる。
【００３０】
図８は、この場合のシステム全体の動作（開閉状態確認モード）を示している。電動建材１ｃは、当初オフ（開）状態で、それに応じたＪＥＭ−Ａモニタ信号オフ（開）をＩＰ／ＪＥＭ−Ａ変換アダプタ３ｃに送信している（Ｓ９０）。ここで、住人が電動建材１ｃの操作ボックスに設けてある操作スイッチにより閉操作したとする（Ｓ９１）。すると電動建材１ｃは、ＩＰ／ＪＥＭ−Ａ変換アダプタ３ｃにＪＥＭ−Ａモニタ信号オン（閉）を送信する（Ｓ９２）。ＩＰ／ＪＥＭ−Ａ変換アダプタ３ｃは、ＪＥＭ−Ａモニタ信号がオフからオンに切り替わったため、機器状態コマンドオン（閉）をパソコン２に出力する（Ｓ９３）。パソコン２は、当該電動建材１ｃに対応した状態表示アイコン２１ｃを、「開」から「閉」に変化させる（Ｓ９４）。その後、操作ボックスの操作スイッチにより電動建材１ｃが開操作されると（Ｓ９５）、電動建材１ｃはＩＰ／ＪＥＭ−Ａ変換アダプタ３ｃにＪＥＭ−Ａモニタ信号オフ（開）を送信する（Ｓ９６）。ＩＰ／ＪＥＭ−Ａ変換アダプタ３ｃは、ＪＥＭ−Ａモニタ信号がオンからオフに切り替わったため、機器状態コマンドオフ（開）をパソコン２に出力する（Ｓ９７）。パソコン２は、当該電動建材１ｃに対応した状態表示アイコン２１ｃを、「閉」から「開」に変化させる（Ｓ９８）。
【００３１】
上述のように、電動建材１ａ，１ｂ，１ｃ，…からのモニタ信号に変化があったときにＩＰ／ＪＥＭ−Ａ変換アダプタ３ａ，３ｂ，３ｃ，…からパソコン２に機器状態コマンドを出力することとすれば、パソコン２から送信されるチェックコマンドの時間間隔を長くし、ＬＡＮ上のデータの量を少なくすることができる。チェックコマンドの時間間隔を長くしても、電動建材１ａ，１ｂ，１ｃ，…の開閉状態が切り替わると、パソコン２の状態表示アイコン２１ａ，２１ｂ，２１ｃ，…が瞬時に切り替わる。
【００３２】
図９は、ＩＰ／ＪＥＭ−Ａ変換アダプタ３ａ，３ｂ，３ｃ，…の他の実施形態を示している。本実施形態のものは、図１の構成に加え、電動建材１ａ，１ｂ，１ｃ，…の操作ボックスのマイコンとシリアル通信を行うシリアル通信手段５２をさらに備えている。シリアル通信手段５２は、マイコン７をバイパスして通信器６と電動建材１ａ，１ｂ，１ｃ，…の操作ボックスのマイコンとの間でシリアル通信を行うものとなっている。シリアル通信手段５２により伝送されるシリアル信号には、電動建材１ａ，１ｂ，１ｃ，…の開閉状態が切り替わったときに、切り替わった後の開閉状態を操作ボックスのマイコンから通信器６に知らせるものが含まれ、この信号は通信器６のＬＡＮ−シリアル変換器１１でＩＰ信号に変換されると共にＩＤ識別部１０によりＩＤが付与され、ＬＡＮ端子５よりパソコン２に向けて機器状態コマンドとして出力される。
【００３３】
上記構成のＩＰ／ＪＥＭ−Ａ変換アダプタ３ａ，３ｂ，３ｃ，…を使用した場合にも、図８に示すように、電動建材１ａ，１ｂ，１ｃ，…の開閉状態が切り替わったときにＩＰ／ＪＥＭ−Ａ変換アダプタ３ａ，３ｂ，３ｃ，…からパソコン２に機器状態コマンドを出力するため、パソコン２から送信されるチェックコマンドの時間間隔を長くし、ＬＡＮ上のデータの量を少なくすることができる。また、ＩＰ／ＪＥＭ−Ａ変換アダプタ３ａ，３ｂ，３ｃ，…のマイコン７を介さずに処理を行うため、より高速な通信が行える。
シリアル通信手段５２により伝送されるシリアル信号には、電動建材１ａ，１ｂ，１ｃ，…の開閉操作等を行うためのコマンドを含めることができる。ＪＥＭ−Ａ信号により電動建材１ａ，１ｂ，１ｃ，…を制御する場合には、開か閉の２つの状態の制御しか行えないが、シリアル通信により制御する場合には、開か閉の２つの状態だけでなく、例えば半開き状態にしたり、ロックの施解錠等も行えるようになる。
【００３４】
図１０は、本発明の第２実施形態に係る機器の遠隔監視制御システムの全体構成を示している。本システムは、ＪＥＭ−Ａに対応した外部機器の監視・制御機能を有するドアホン３０にＪＥＭ−Ａ／ＩＰ変換アダプタ３１を接続し、複数の電動建材１ａ，１ｂにＩＰ／ＪＥＭ−Ａ変換アダプタ３ａ，３ｂをそれぞれ接続し、ＪＥＭ−Ａ／ＩＰ変換アダプタ３１とＩＰ／ＪＥＭ−Ａ変換アダプタ３ａ，３ｂとをＬＡＮケーブル４で接続して構成される。ＩＰ／ＪＥＭ−Ａ変換アダプタ３ａ，３ｂは、第１実施形態のものと同じである。
【００３５】
ＪＥＭ−Ａ／ＩＰ変換アダプタ３１は、図１１に示すように、ＪＥＭ−Ａ端子３２ａ，３２ｂと、ＪＥＭ−Ａ端子３２ａ，３２ｂと接続されたＪＥＭ−Ａ入出力回路３３と、ＪＥＭ−Ａ入出力回路３３と接続されたマイコン３４と、マイコン３４と接続された通信器３５と、通信器３５と接続されたＬＡＮ端子３６とを備えている。
ＪＥＭ−Ａ端子３２ａ，３２ｂは、ドアホン３０のＪＥＭ−Ａ端子と接続され、ＪＥＭ−Ａ制御信号がドアホン３０から入力されると共に、ＪＥＭ−Ａモニタ信号がドアホン３０に出力される。ＪＥＭ−Ａ端子３２ａ，３２ｂは、制御する機器の数だけ設けてある。
ＪＥＭ−Ａ入出力回路３３は、マイコン３４からの指令によりＪＥＭ−Ａモニタ信号を生成してＪＥＭ−Ａ端子３２ａ，３２ｂに出力すると共に、ＪＥＭ−Ａ端子３２ａ，３２ｂに入力されるドアホン３０からのＪＥＭ−Ａ制御信号をマイコン３４に送信する。
マイコン３４は、データを記憶するメモリ３７と、データを処理するＣＰＵ３８とを有している。メモリ３７には、ＪＥＭ−Ａ／ＩＰ変換アダプタ３１の動作プログラムが記憶されており、当該プログラムとＣＰＵ３８により、機器状態検出手段３９と、モニタ信号出力手段４０と、オン／オフコマンド出力手段４１とが構成されている。機器状態検出手段３９は、一定時間ごとにチェックコマンドを通信器３５に出力すると共に、チェックコマンドに応じてＬＡＮ端子３６に入力されるＩＰ／ＪＥＭ−Ａ変換アダプタ３ａ，３ｂからの機器状態コマンドに基づいて、電動建材１ａ，１ｂが開（オフ）状態と閉（オン）状態の何れの状態であるか検出し、検出した開・閉状態をメモリ３７に保持する。モニタ信号出力手段４０は、機器状態検出手段３９により検出した電動建材１ａ，１ｂの開閉状態に応じて、ＪＥＭ−Ａ入出力回路３３にＪＥＭ−Ａモニタ信号を生成する指令を出力する。オン／オフコマンド出力手段４１は、電動建材１ａ，１ｂがオン（閉）状態でＪＥＭ−Ａ制御信号が入力されたときにオフ（開）コマンドを通信器３５に出力し、電動建材１ａ，１ｂがオフ（開）状態でＪＥＭ−Ａ制御信号が入力されたときにオン（閉）コマンドを通信器３５に出力する。
通信器３５には、ＩＤ識別部４２とＬＡＮ−シリアル変換器４３とを有している。ＩＤ識別部４２は、個別ＩＤを記憶するメモリと、データの処理部とを有しており、ＬＡＮ端子３６にＩＰ／ＪＥＭ−Ａ変換アダプタ３ａ，３ｂからの機器状態コマンドが入力されると、当該コマンドに含まれる送信先のＩＤとメモリに記憶した個別ＩＤとを照合し、それらが一致する場合のみＩＰ信号をＬＡＮ−シリアル変換器４３に送る。またＩＤ識別部４２は、マイコン３４からＬＡＮ端子３６へと出力されるオン（閉）コマンド、オフ（開）コマンド、チェックコマンドに対して、送信元であるＪＥＭ−Ａ／ＩＰ変換アダプタ３１の個別ＩＤと送信先であるＩＰ／ＪＥＭ−Ａ変換アダプタ３ａ，３ｂの個別ＩＤを付加する処理も行う。ＬＡＮ−シリアル変換器４３は、ＩＤ識別部４２より送られてくるＩＰ信号をマイコン３４に適合するシリアル信号（ＲＳ−２３２Ｃ）に変換してマイコン３４に出力すると共に、マイコン３４より送られてくるシリアル信号をＩＰ信号に変換してＩＤ識別部４２に送る。
なお、図１１中に各要素を繋ぐ実線の上に記載した文字は、当該部分を流れる信号のプロトコルを表している。
【００３６】
次に、このＪＥＭ−Ａ／ＩＰ変換アダプタ３１の動作を、図１２のフローチャートに基づいて説明する。ＪＥＭ−Ａ／ＩＰ変換アダプタ３１は、機器状態検出手段３９により一定時間（例えば１秒）ごとにチェックコマンドをＬＡＮ端子３６に出力し、ＩＰ／ＪＥＭ−Ａ変換アダプタ３ａ，３ｂからの機器状態コマンドにより各電動建材１ａ，１ｂの開閉状態を取得し、これをメモリ３７に保持する（Ｓ５０）。次に、モニタ信号出力手段４０が各電動建材１ａ，１ｂの開閉状態に応じたＪＥＭ−Ａモニタ信号を生成し、ＪＥＭ−Ａ端子３２ａ，３２ｂに出力する（Ｓ５１）。マイコン３４は、ドアホン３０からのＪＥＭ−Ａ制御信号の有無を一定時間（例えば１０ｍｓｅｃ）ごとに確認しており（Ｓ５２）、ＪＥＭ−Ａ制御信号がＪＥＭ−Ａ端子３２ａ，３２ｂから入力されると、そのときの電動建材１ａ，１ｂの開閉状態と比較する（Ｓ５３）。機器状態がオフ（開）であったときには、オン（閉）コマンドを通信器３５に出力し（Ｓ５４）、通信器３５のＬＡＮ−シリアル変換器４３によりオン（閉）コマンドをＩＰ信号に変換し（Ｓ５５）、ＩＤ識別部４２が送信元であるＪＥＭ−Ａ／ＩＰ変換アダプタ３１の個別ＩＤと送信先であるＩＰ／ＪＥＭ−Ａ変換アダプタ３ａ，３ｂの個別ＩＤとを付加し（Ｓ５６）、ＬＡＮ端子３６からオン（閉）コマンドを送出する（Ｓ５７）。一方、機器状態がオン（閉）であったときには、オフ（開）コマンドを通信器３５に出力し（Ｓ５８）、通信器３５のＬＡＮ−シリアル変換器４３によりオフ（開）コマンドをＩＰ信号に変換し（Ｓ５９）、ＩＤ識別部４２が送信元であるＪＥＭ−Ａ／ＩＰ変換アダプタ３１の個別ＩＤと送信先であるＩＰ／ＪＥＭ−Ａ変換アダプタ３ａ，３ｂの個別ＩＤとを付加し（Ｓ６０）、ＬＡＮ端子３６からオフ（開）コマンドを送出する（Ｓ６１）。
【００３７】
ドアホン３０は、図１３（ａ）に示すように、モニタ画面４４と、多数の操作ボタンと、制御できる外部機器の数分のＪＥＭ−Ａ端子を備えている。外部機器選択ボタン４５を押すと、モニタ画面４４に外部機器選択画面４６が表示される。外部機器選択画面４６で、選択ボタン４７によりカーソル４８を操作しようとする機器に合わせて決定ボタン４９を押すと、モニタ画面４４には図１３（ｂ）に示すような選択した機器の操作画面５０が表示される。この操作画面５０で、選択ボタン４７によりカーソル４８を「閉」又は「閉」に合わせて決定ボタン４９を押すと、当該機器に対応したＪＥＭ−Ａ端子にＪＥＭ−Ａ制御信号が出力される。またモニタ画面４４の右上には、外部機器の状態表示アイコン５１ａ，５１ｂが常に表示されている。状態表示アイコン５１ａ，５１ｂは、図１３（ｃ）に示すように、開（オフ）状態のときと閉（オン）状態のときとで色を変化させて、開閉状態を使用者に知らせる。
【００３８】
次に、本システム全体の動作を図１４−１，１４−２に基づいて説明する。図１４−１は、本システムの動作のうち「開閉状態確認モード」を示している。ＪＥＭ−Ａ／ＩＰ変換アダプタ３１は、一定時間（例えば１秒）ごとにチェックコマンドを各ＩＰ／ＪＥＭ−Ａ変換アダプタ３ａ，３ｂに送信する（Ｓ７０）。電動建材（玄関ドア電気錠）１ａは、オン（閉）状態の場合、それに応じたＪＥＭ−Ａモニタ信号オン（閉）をＩＰ／ＪＥＭ−Ａ変換アダプタ３ａに送信している（Ｓ７１）。ＩＰ／ＪＥＭ−Ａ変換アダプタ３ａは、機器状態コマンドオン（閉）をＪＥＭ−Ａ／ＩＰ変換アダプタ３１に送信する（Ｓ７２）。ＪＥＭ−Ａ／ＩＰ変換アダプタ３１は、ＪＥＭ−Ａモニタ信号オン（閉）をドアホン３０に送信する（Ｓ７３）。ドアホン３０は、当該電動建材１ａに対応した状態表示アイコン５１ａを、「開」から「閉」に変化させる（Ｓ７４）。その後、後述する「操作モード」により電動建材１ａが開操作されたとする。その後にＪＥＭ−Ａ／ＩＰ変換アダプタ３１からＩＰ／ＪＥＭ−Ａ変換アダプタ３ａにチェックコマンドが送信されると（Ｓ７５）、そのときには電動建材１ａからＩＰ／ＪＥＭ−Ａ変換アダプタ３ａにＪＥＭ−Ａモニタ信号オフ（開）を送信しているので（Ｓ７６）、ＩＰ／ＪＥＭ−Ａ変換アダプタ３ａは、機器状態コマンドオフ（開）をＪＥＭ−Ａ／ＩＰ変換アダプタ３１に送信する（Ｓ７７）。ＪＥＭ−Ａ／ＩＰ変換アダプタ３１は、ＪＥＭ−Ａモニタ信号オフ（開）をドアホン３０に送信する（Ｓ７８）。ドアホン３０は、当該電動建材１ａに対応した状態表示アイコン５１ａを、「閉」から「開」に変化させる（Ｓ７９）。以上の動作により、ドアホンのモニタ画面上の各状態表示アイコン５１ａ，５１ｂが、対応する電動建材１ａ，１ｂの最新の開閉状態に応じた状態に随時更新される。なお、ＪＥＭ−Ａ／ＩＰ変換アダプタがチェックコマンドを送信する時間の間隔は、制御するＩＰ／ＪＥＭ−Ａ変換アダプタの数等に応じて適宜変更することができる。
【００３９】
次に、本システムの動作のうち「操作モード」を、図１４−２に基づいて説明する。ドアホン３０で、先に説明した要領で操作しようとする機器（玄関ドア電気錠１ａ）を選択し、且つ「開」にカーソルを合わせて決定ボタンを押すと、ドアホン３０からＪＥＭ−Ａ／ＩＰ変換アダプタ３１にＪＥＭ−Ａ制御信号が送信される（Ｓ８０）。ＪＥＭ−Ａ／ＩＰ変換アダプタ３１は、当該機器に接続されたＩＰ／ＪＥＭ−Ａ変換アダプタ３ａの個別ＩＤを付加したオフ（開）コマンドを送信する（Ｓ８１）。このとき、ＩＰ／ＪＥＭ−Ａ変換アダプタ３ａには電動建材１ａからＪＥＭ−Ａモニタ信号オン（閉）が入力されており、コマンドによる指令と電動建材１ａからのモニタ信号とが異なる状態のため、ＩＰ／ＪＥＭ−Ａ変換アダプタ３ａは電動建材１ａに向けてＪＥＭ−Ａ制御信号を送信する（Ｓ８２）。電動建材１ａは、この制御信号を受けて開動作した後、ＪＥＭ−Ａモニタ信号オフ（開）をＩＰ／ＪＥＭ−Ａ変換アダプタ３ａに送信する（Ｓ８３）。
電動建材１ａを閉操作する場合には、ドアホン３０で機器を選択し、「閉」にカーソルを合わせて決定ボタンを押すと、ドアホン３０からＪＥＭ−Ａ／ＩＰ変換アダプタ３１にＪＥＭ−Ａ制御信号が送信される（Ｓ８４）。ＪＥＭ−Ａ／ＩＰ変換アダプタ３１は、当該機器に接続されたＩＰ／ＪＥＭ−Ａ変換アダプタ３ａの個別ＩＤを付加したオン（閉）コマンドを送信する（Ｓ８５）。このとき、ＩＰ／ＪＥＭ−Ａ変換アダプタ３ａには電動建材１ａからＪＥＭ−Ａモニタ信号オフ（開）が入力されており、コマンドによる指令と電動建材１ａからのモニタ信号とが異なる状態のため、ＩＰ／ＪＥＭ−Ａ変換アダプタ３ａは電動建材１ａに向けてＪＥＭ−Ａ制御信号を送信する（Ｓ８６）。電動建材１ａは、この制御信号を受けて閉動作した後、ＪＥＭ−Ａモニタ信号オン（閉）をＩＰ／ＪＥＭ−Ａ変換アダプタ３ａに送信する（Ｓ８７）。
【００４０】
ＩＰ／ＪＥＭ−Ａ変換アダプタ３ａ，３ｂ，３ｃ，…は、チェックコマンドを検出したときに加え、電動建材１ａ，１ｂからのモニタ信号に変化があったときにも機器状態コマンドを出力するものとすることができる。
図１５は、この場合のシステム全体の動作（開閉状態確認モード）を示している。電動建材１ａは、当初オフ（開）状態で、それに応じたＪＥＭ−Ａモニタ信号オフ（開）をＩＰ／ＪＥＭ−Ａ変換アダプタ３ａに送信している（Ｓ１００）。ここで、住人が電動建材１ａの操作ボックスに設けてある操作スイッチにより閉操作したとする（Ｓ１０１）。すると電動建材１ａは、ＩＰ／ＪＥＭ−Ａ変換アダプタ３ａにＪＥＭ−Ａモニタ信号オン（閉）を送信する（Ｓ１０２）。ＩＰ／ＪＥＭ−Ａ変換アダプタ３ａは、ＪＥＭ−Ａモニタ信号がオフからオンに切り替わったため、機器状態コマンドオン（閉）をＪＥＭ−Ａ／ＩＰ変換アダプタ３１に出力する（Ｓ１０３）。ＪＥＭ−Ａ／ＩＰ変換アダプタ３１は、ＪＥＭ−Ａモニタ信号オン（閉）をドアホン３０に送信する（Ｓ１０４）。ドアホン３０は、当該電動建材１ａに対応した状態表示アイコン５１ａを、「開」から「閉」に変化させる（Ｓ１０５）。その後、操作ボックスの操作スイッチにより開操作されると（Ｓ１０６）、電動建材１ａはＩＰ／ＪＥＭ−Ａ変換アダプタ３ａにＪＥＭ−Ａモニタ信号オフ（開）を送信する（Ｓ１０７）。ＩＰ／ＪＥＭ−Ａ変換アダプタ３ｃは、ＪＥＭ−Ａモニタ信号がオンからオフに切り替わったため、機器状態コマンドオフ（開）をＪＥＭ−Ａ／ＩＰ変換アダプタ３１に出力する（Ｓ１０８）。ＪＥＭ−Ａ／ＩＰ変換アダプタ３１は、ＪＥＭ−Ａモニタ信号オフ（開）をドアホン３０に送信する（Ｓ１０９）。ドアホン３０は、当該電動建材１ａに対応した状態表示アイコン５１ａを、「閉」から「開」に変化させる（Ｓ１１０）。
上記の構成によれば、ＪＥＭ−Ａ／ＩＰ変換アダプタ３１から送信されるチェックコマンドの時間間隔を長くし、ＬＡＮ上のデータの量を少なくすることができる。
ＩＰ／ＪＥＭ−Ａ変換アダプタ３ａ，３ｂは、図９に示すようなシリアル通信手段５２を備えたものを用いることもできる。  
【００４１】
以上に述べたように本システムは、ドアホン３０にＪＥＭ−Ａ端子３２ａ，３２ｂとＬＡＮ端子３６を有するＪＥＭ−Ａ／ＩＰ変換アダプタ３１を接続し、各電動建材１ａ，１ｂにＬＡＮ端子５とＪＥＭ−Ａ端子９を有するＩＰ／ＪＥＭ−Ａ変換アダプタ３ａ，３ｂを接続し、ＪＥＭ−Ａ／ＩＰ変換アダプタ３１とＩＰ／ＪＥＭ−Ａ変換アダプタ３ａ，３ｂとをＬＡＮケーブル４で接続して構成したので、従来のようにＪＥＭ−Ａ信号線をドアホン３０から各電動建材１ａ，１ｂまで個々に配線する必要がなく、配線作業を容易化することができる。ＪＥＭ−Ａ／ＩＰ変換アダプタ３１は、簡潔な構成によりＪＥＭ−Ａの制御信号・モニタ信号とＩＰ信号とを相互に変換し、複数の電動建材１ａ，１ｂの開閉動作及び状態確認を安定して行うことができる。さらに、複数の電動建材１ａ，１ｂを識別するためのＩＤ処理を行うＩＤ識別部３５を通信器３５に設け、制御部３４から分離したので、ＪＥＭ−Ａ／ＩＰ変換アダプタ３１が故障したときに故障箇所を容易に特定できる。
また本システムでは、既存の使い慣れたドアホン３０をそのまま利用できるので、操作ミスを防止できる。
【００４２】
本発明は以上に述べた実施形態に限定されない。監視・制御を行うＪＥＭ−Ａ対応機器は、電動建材に限らず、エアコン、照明、床暖房など、ＪＥＭ−Ａ端子を有する任意の機器とすることができる。ＪＥＭ−Ａ対応機器管理装置は、通信機能とモニタ、操作機能を有する機器であれば使用可能であり、パソコンの他、携帯電話、ＰＤＡ、ゲーム機、ＴＶなどを利用することもできる。ＩＰ／ＪＥＭ−Ａ変換アダプタ及びＪＥＭ−Ａ／ＩＰ変換アダプタの通信器に設けられる変換部は、ＬＡＮ−パラレル変換器とすることもできる。ＩＰ通信網は、有線のＬＡＮに限らず、無線ＬＡＮ、Ｂｌｕｅｔｏｏｔｈ、Ｚｉｇｂｅｅ等、任意のものとすることができ、ＩＰ通信網と接続する接続部はそれに応じて適宜変更される。第２実施形態に用いているＪＥＭ−Ａ／ＩＰ変換アダプタ及びＩＰ／ＪＥＭ−Ａ変換アダプタのＩＤ識別部は、通信器にではなく制御部に設けることもできる。
【図面の簡単な説明】
【００４３】
【図１】ＩＰ／ＪＥＭ−Ａ変換アダプタのブロック図である。
【図２】本発明の機器の遠隔監視制御システムの第１実施形態を示すシステム全体の構成図である。
【図３】ＩＰ／ＪＥＭ−Ａ変換アダプタの動作を示すフローチャートである。
【図４】パソコンのモニタに表示される画像を示しており、（ａ）は全ての電動建材の開閉状態を示す全体モニタ画像を示し、（ｂ）はそこから一つの電動建材を選択して操作画面を表示させた状態を示している。
【図５】操作画面の説明図である。
【図６】状態表示アイコンが開閉状態に応じて変化する様子を示している。
【図７−１】第１実施形態の機器の遠隔監視制御システムの全体の動作を示すフローチャートであって、「開閉状態確認モード」を示している。
【図７−２】第１実施形態の機器の遠隔監視制御システムの全体の動作を示すフローチャートであって、「操作モード」を示している。
【図８】第１実施形態の機器の遠隔監視制御システムの全体の動作を示すフローチャートであって、「開閉状態確認モード」の他の例を示している。
【図９】ＩＰ／ＪＥＭ−Ａ変換アダプタの他の実施形態を示すブロック図である。
【図１０】本発明の機器の遠隔監視制御システムの第２実施形態を示すシステム全体の構成図である。
【図１１】ＪＥＭ−Ａ／ＩＰ変換アダプタのブロック図である。
【図１２】ＪＥＭ−Ａ／ＩＰ変換アダプタの動作を示すフローチャートである。
【図１３】（ａ）はドアホンの説明図であり、（ｂ）はドアホンのモニタ画像を機器の操作画面に変化させた状態、（ｃ）は状態表示アイコンが開閉状態に応じて変化する様子を示している。
【図１４−１】第２実施形態の機器の遠隔監視制御システムの全体の動作を示すフローチャートであって、「開閉状態確認モード」を示している。
【図１４−２】第２実施形態の機器の遠隔監視制御システムの全体の動作を示すフローチャートであって、「操作モード」を示している。
【図１５】第２実施形態の機器の遠隔監視制御システムの全体の動作を示すフローチャートであって、「開閉状態確認モード」の他の例を示している。
【図１６】ＪＥＭ−Ａの制御信号とモニタ信号の説明図である。
【図１７】従来の機器の遠隔監視制御システムの全体構成を示す図である。
【図１８】ＪＥＭ−Ａ対応機器をインターネットに接続するための従来のアダプタの構成を示すブロック図である。
【符号の説明】
【００４４】
１ａ，１ｂ，１ｃ  電動建材（ＪＥＭ−Ａ対応機器）
２  パソコン（ＪＥＭ−Ａ対応機器管理装置）
３ａ，３ｂ，３ｃ  ＩＰ／ＪＥＭ−Ａ変換アダプタ
４  ＬＡＮケーブル（ＩＰ通信網）
５  ＬＡＮ端子（接続部）
６  通信器
７  マイコン（制御部）
８  ＪＥＭ−Ａ入出力回路
９  ＪＥＭ−Ａ端子
１０  ＩＤ識別部
１１  ＬＡＮ−シリアル変換器（変換部）
１４  機器状態検出手段
１５  コマンド解析手段
１６  制御信号出力手段
１７  機器状態コマンド出力手段
１８  全体モニタ画像（ＧＵＩ画像）
２１ａ，２１ｂ，２１ｃ，２１ｄ  状態表示アイコン（ＧＵＩ画像）
２５  操作画面（ＧＵＩ画像）
２６  開操作ボタン（操作ボタン）
２７  閉操作ボタン（操作ボタン）
３０  ドアホン（ＪＥＭ−Ａ対応機器管理装置）
３１  ＪＥＭ−Ａ／ＩＰ変換アダプタ
３２ａ，３２ｂ  ＪＥＭ−Ａ端子
３３  ＪＥＭ−Ａ入出力回路
３４  マイコン
３５  通信器
３６  ＬＡＮ端子（接続部）
３９  機器状態検出手段
４０  モニタ信号出力手段
４１  オン／オフコマンド出力手段
４２  ＩＤ識別部
４３  ＬＡＮ−シリアル変換器（変換部）
５２  シリアル通信手段
【図１】
0005019331.tif 000002
【図２】
0005019331.tif 000003
【図３】
0005019331.tif 000004
【図４】
0005019331.tif 000005
【図５】
0005019331.tif 000006
【図６】
0005019331.tif 000007
【図７−１】
0005019331.tif 000008
【図７−２】
0005019331.tif 000009
【図８】
0005019331.tif 000010
【図９】
0005019331.tif 000011
【図１０】
0005019331.tif 000012
【図１１】
0005019331.tif 000013
【図１２】
0005019331.tif 000014
【図１３】
0005019331.tif 000015
【図１４−１】
0005019331.tif 000016
【図１４−２】
0005019331.tif 000017
【図１５】
0005019331.tif 000018
【図１６】
0005019331.tif 000019
【図１７】
0005019331.tif 000020
【図１８】
0005019331.tif 000021